(57)【要約】【課題】ＬＥＤ光源の発光状態の輝度を制御するための照明デバイス及び照明デバイスの輝度切替デバイスを提供する。【解決手段】輝度切替デバイスは、ＬＥＤ光源の発光状態を切り替えるために輝度切替デバイスに電気的に接続された、発光状態に対応する切替モードを有する切替スイッチと、切替スイッチに対応する切替モードを検出するための検出回路と、検出回路によって検出された切替モードに対応するＬＥＤ光源の輝度値を記憶し、ＬＥＤ光源の輝度値を輝度制御信号に変換し、その輝度制御信号を検出回路に送信するための記憶ユニットと、検出回路から送信された輝度制御信号を受信し、ＬＥＤ光源が切替モードに対応する発光状態の輝度を生成するようにするための電力変換回路と、を含む。【選択図】図２Ａ
2008123982.tif 000002
【特許請求の範囲】
【請求項１】
少なくとも１つの発光ダイオード（ＬＥＤ）から構成されるＬＥＤ光源であり、複数の発光状態を有するＬＥＤ光源と、
ＬＥＤ光源の発光状態を切り替えるための切替スイッチであり、発光状態に対応する複数の切り替えモードを有する切替スイッチと、
切替スイッチに電気的に接続された、切替スイッチの切替モードを検出するための検出回路と、
検出回路に電気的に接続された記憶ユニットであり、検出回路によって検出された切替スイッチの切替モードに対応するＬＥＤ光源のＬＥＤの輝度値を記憶し、そのＬＥＤの輝度値を輝度制御信号に変換し、その輝度制御信号を検出回路に送信するための記憶ユニットと、
ＬＥＤ光源に電気的に接続された電力変換回路であり、検出回路から送信された輝度制御信号を受信し、ＬＥＤが切替モードに対応する発光状態の輝度を生成するようにするための電力変換回路と、を備える、照明デバイス。
【請求項２】
ＬＥＤ光源の少なくとも１つのＬＥＤの輝度は、切替スイッチの異なる切替モード下で異なる、請求項１に記載の照明デバイス。
【請求項３】
切替スイッチの切り替えを通して照明デバイスに電力を提供するための外部電源を備える、請求項１に記載の照明デバイス。
【請求項４】
ＬＥＤ光源に電気的に接続された、ＬＥＤ光源に電力を提供するための直流（ＤＣ）電源を備える、請求項１に記載の照明デバイス。
【請求項５】
検出回路が、
ＬＥＤ光源の発光状態を受信するための前方入力端を有し、且つ切替スイッチに電気的に接続された、切替スイッチの切替モードを受信するための後方入力端を有する増幅器と、
増幅器及び記憶ユニットに電気的に接続された、増幅器及び記憶ユニットから送信されたアナログ制御信号をデジタル制御信号に変換するためにアナログ／デジタル変換回路と、を備える、
請求項１に記載の照明デバイス。
【請求項６】
切替スイッチが外部トリガー信号を通してＬＥＤ光源の切替モードを行う、請求項２に記載の照明デバイス。
【請求項７】
外部トリガー信号は連続する押圧信号であり、ＬＥＤ光源のＬＥＤの輝度値は切替スイッチが押圧される時間に正比例又は反比例する、請求項６に記載の照明デバイス。
【請求項８】
外部トリガー信号は多段階切替信号であり、ＬＥＤ光源のＬＥＤの輝度値は切替スイッチが切り替えられる回数に従って多段階で増加又は多段階で減少する、請求項６に記載の照明デバイス。
【請求項９】
外部トリガー信号は多段階押圧信号であり、切替モード間に所定の時間間隔が存在し、ＬＥＤ光源のＬＥＤの輝度値は切替スイッチが切り替えられる時に従って多段階で増加又は多段階で減少する、請求項６に記載の照明デバイス。
【請求項１０】
外部トリガー信号を受信するための信号入力端を備える、請求項６に記載の照明デバイス。
【請求項１１】
切替スイッチはプログラマブル回路である、請求項１に記載の照明デバイス。
【請求項１２】
電力変換回路は交流（ＡＣ）／直流（ＤＣ）変換器である、請求項１に記載の照明デバイス。
【請求項１３】
電力変換回路はＤＣ／ＤＣ変換器である、請求項１に記載の照明デバイス。
【請求項１４】
電力変換回路から出力される輝度制御信号はパルス幅変調（ＰＷＭ）信号である、請求項１に記載の照明デバイス。
【請求項１５】
電力変換回路から出力される輝度制御信号は電圧信号である、請求項１に記載の照明デバイス。
【請求項１６】
電力変換回路から出力される輝度制御信号は電流信号である、請求項１に記載の照明デバイス。
【請求項１７】
少なくとも１つのＬＥＤを含む発光ダイオード（ＬＥＤ）光源によって生成される複数の発光状態の輝度を切り替えるための輝度切替デバイスであって、当該輝度切替デバイスは、
輝度切替デバイスに電気的に接続された、ＬＥＤの発光状態を切り替えるための切替スイッチであり、複数の発光状態に対応する複数の切替モードを有する切替スイッチと、
切替スイッチに電気的に接続された、切替スイッチの切替モードを検出するための検出回路と、
検出回路に電気的に接続された記憶ユニットであり、検出回路によって検出された切替スイッチの切替モードに対応するＬＥＤの輝度値を記憶し、そのＬＥＤの輝度値を輝度制御信号に変換し、その輝度制御信号を検出回路に送信するための記憶ユニットと、
ＬＥＤ光源に電気的に接続された電力変換回路であり、検出回路から送信された輝度制御信号を受信し、ＬＥＤが切替モードに対応する発光状態の輝度を生成するようにするための電力変換回路と、を備える、輝度切替デバイス。
【請求項１８】
ＬＥＤ光源の少なくとも１つのＬＥＤの輝度は、切替スイッチの異なる切替モードにおいて異なる、請求項１７に記載の輝度切替デバイス。
【請求項１９】
切替スイッチの切り替えを通して輝度切替デバイスに電力を提供するための外部電源からなる、請求項１７に記載の輝度切替デバイス。
【請求項２０】
ＬＥＤ光源に電気的に接続された、ＬＥＤ光源に電力を提供するための直流（ＤＣ）電源からなる、請求項１７に記載の輝度切替デバイス。
【請求項２１】
検出回路が、
ＬＥＤ光源の発光状態を受信するための前方入力端、及び切替スイッチに電気的に接続された、切替スイッチの切替モードを受信するための後方入力端を有する増幅器と、
増幅器及び記憶ユニットに電気的に接続された、増幅器及び記憶ユニットから送信されたアナログ制御信号をデジタル制御信号に変換するためのアナログ／デジタル変換回路とからなる、請求項１７に記載の輝度切替デバイス。
【請求項２２】
切替スイッチが外部トリガー信号を通してＬＥＤ光源の切替モードを行う、請求項１８に記載の輝度切替デバイス。
【請求項２３】
外部トリガー信号は継続的押圧信号であり、ＬＥＤ光源のＬＥＤの輝度値は切替スイッチが押圧される時間に正比例又は反比例する、請求項２２に記載の輝度切替デバイス。
【請求項２４】
外部トリガー信号は多段階切替信号であり、ＬＥＤ光源のＬＥＤの輝度値は切替スイッチが切り替えられる回数に従って多段階で増加又は多段階で減少する、請求項２２に記載の輝度切替デバイス。
【請求項２５】
外部トリガー信号は多段階押圧信号であり、切替モード間に所定の時間間隔が存在し、ＬＥＤ光源のＬＥＤの輝度値は切替スイッチが切り替えられる時に従って多段階で増加又は多段階で減少する、請求項２２に記載の輝度切替デバイス。
【請求項２６】
外部トリガー信号を受信するための信号入力端を備える、請求項２２に記載の輝度切替デバイス。
【請求項２７】
切替スイッチはプログラマブル回路である、請求項１７に記載の輝度切替デバイス。
【請求項２８】
電力変換回路は交流（ＡＣ）／直流（ＤＣ）変換器である、請求項１７に記載の輝度切替デバイス。
【請求項２９】
電力変換回路はＤＣ／ＤＣ変換器である、請求項１７に記載の輝度切替デバイス。
【請求項３０】
電力変換回路から出力される輝度制御信号はパルス幅変調（ＰＷＭ）信号である、請求項１７に記載の輝度切替デバイス。
【請求項３１】
電力変換回路から出力される輝度制御信号は電圧信号である、請求項１に７記載の輝度切替デバイス。
【請求項３２】
電力変換回路から出力される輝度制御信号は電流信号である、請求項１７に記載の輝度切替デバイス。
【発明の詳細な説明】
【技術分野】
【０００１】
本発明は、照明デバイス及び照明デバイスの輝度切替デバイスに関し、より具体的には、様々な照明デバイスの多段階切り替えを提供するための内蔵型記憶ユニットを有する輝度切替デバイスに関する。
【背景技術】
【０００２】
近年、日常生活において、例えば、モニタ、家庭用電気製品、車両用電子コンポーネント、照明ランプといったものに、発光ダイオード（ＬＥＤ）が広く使用されている。家庭用照明ランプを例に取ると、従来の家庭用照明ランプは通常複数の電球を有し、ユーザが環境の輝度状態を変更したい時は、電球をオフするように、切替スイッチを使用して、設定された値に従って多段階で複数の電球を連続的に切り替える。例えば、切替スイッチがちょうどオンされた時は、全ての電球がオンの状態になる。切替スイッチがオフされて、再びオンされた時は、少なくとも１つの電球がオフ状態になり、結果として照明ランプ全体によって発せられる光の輝度が弱化する。切替スイッチがオフされて、再びオンされた時は、前段階においてオン状態にある少なくとも１つの電球がオフ状態を取る。従って、照明ランプの輝度を多段階で切り替えることができる。しかしながら、照明ランプの電球がＬＥＤによって置き換えられると、電球において要求されるＬＥＤのユニット数が大きいので、もし上記した動作モードに従って照明ランプのＬＥＤが連続的にオフされれば、照明ランプ全体から発せられる光の輝度は不均一になる。
【０００３】
光源としてＬＥＤを使用するデバイスの不均一な輝度の上述した問題を解決するために、米国特許第６，３４４，６４１号は、光源としてＬＥＤを使用する表示システムの制御方法を開示している。図１は、従来の表示システムの概略図である。図１を参照すると、従来の表示システム１０は２つのＬＥＤ１２Ａ及び１２Ｂ、表示デバイス１４、及び表示デバイス１４に配置された輝度検出及び制御回路２０を含む。表示デバイス１４は、画像表示アレイ１８を含み、表示デバイス１４の画像を表示する。加えて、表示デバイス１４は、輝度検出及び制御回路２０に電気的に接続された、タイミング及び制御信号を輝度検出及び制御回路２０に送信するためのコントローラ２２を更に含む。２つの光検出器１６Ａ及び１６Ｂは、ＬＥＤ１２Ａ及び１２Ｂと一直線上にあり、ＬＥＤ１２Ａ及び１２Ｂそれぞれによって発せられる光の輝度を検出するために、輝度検出及び制御回路２０に電気的に接続されている。
【０００４】
光検出器１６Ａ及び１６ＢがＬＥＤ１２Ａ及び１２Ｂそれぞれによって発せられた光の輝度を検出した時、光の検出された輝度は電流信号に変換されて、輝度検出及び制御回路２０に送信される。この時、もしＬＥＤ１２Ａ及び１２Ｂの輝度が変更される必要がある場合、制御器２２はユーザの要求に従って輝度検出及び制御回路２０に変調信号を出力する。そして、輝度検出及び制御回路２０は、光検出器１６Ａ及び１６Ｂ及びコントローラ２２からの信号を統合して、電圧信号を送信してＬＥＤ１２Ａ及び１２Ｂの調節すべき輝度をそれぞれ変調する。従って、表示デバイス１４のＬＥＤ１２Ａ及び１２Ｂによって発せられる光の輝度の制御が実現する。
【発明の開示】
【発明が解決しようとする課題】
【０００５】
しかしながら、輝度検出及び制御回路２０はＬＥＤ１２Ａ及び１２Ｂが個々に発する光の輝度を制御するが、光検出器１６Ａ及び１６Ｂによって検出されたＬＥＤ１２Ａ及び１２Ｂの不十分な輝度又は調節すべき輝度に従って補正のみを行うことができる。もしユーザがＬＥＤ１２Ａ及び１２Ｂによって発せられる光の輝度を異なる状態の輝度に個々に調節したい場合、表示デバイス１４は、異なる明るさを示すようにＬＥＤ１２Ａ及び１２Ｂを使用する。光検出器１６Ａ及び１６Ｂは隣接するＬＥＤ１２Ａ及び１２Ｂによって発せられる光によって影響されるので、例えば、光検出器１６ＡはＬＥＤ１２Ｂによって発せられた光も検出するため、ＬＥＤ１２Ａ及び１２Ｂを制御して異なる輝度の光を発するという目的が達成できない。更に、表示デバイス１４が大量のＬＥＤを使用する際、同時に不均一な輝度の問題を防止しながら、特定の状態において輝度検出及び制御回路２０はＬＥＤによって再び発せられる異なる輝度の光を制御することはできない。
【課題を解決するための手段】
【０００６】
上述の問題を鑑み、本発明の目的は、少なくとも１つのＬＥＤによって構成されるＬＥＤ光源によって生成される複数の発光状態の輝度を切り替えるための輝度切替デバイスを提供することである。輝度切替デバイスは、輝度切替デバイスに電気的に接続された、ＬＥＤの発光状態を切り替えるための切替スイッチであり、発光状態に対応する複数の切替モードを有する切替スイッチと、切替スイッチに電気的に接続された、切替スイッチの切替モードを検出するための検出回路と、検出回路に電気的に接続された記憶ユニットであり、検出回路によって検出された切替スイッチの切替モードに対応するＬＥＤの輝度値を記憶し、そのＬＥＤの輝度値を輝度制御信号に変換し、その輝度制御信号を検出回路に送信するための記憶ユニットと、ＬＥＤ光源に電気的に接続された電力変換回路であり、検出回路から送信された輝度制御信号を受信し、ＬＥＤ光源が切替モードに対応する発光状態の輝度を生成するようにするための電力変換回路と、を含む。
【０００７】
更に、本発明は、少なくとも１つの発光ダイオード（ＬＥＤ）から構成された、複数の発光状態を有するＬＥＤ光源と、ＬＥＤ光源の発光状態を切替るための、発光状態に対応する複数の切替モードを有する切替スイッチと、切替スイッチに電気的に接続された、切替スイッチの切替モードを検出するための検出回路と、検出回路に電気的に接続された記憶ユニットであり、検出回路によって検出された切替スイッチの切替モードに対応するＬＥＤ光源のＬＥＤの輝度値を記憶し、そのＬＥＤの輝度値を輝度制御信号に変換し、その輝度制御信号を検出回路に送信するための記憶ユニットと、ＬＥＤ光源に電気的に接続された電力変換回路であり、検出回路から送信された輝度制御信号を受信し、ＬＥＤが切替モードに対応する発光状態の輝度を生成するようにするための電力変換回路とからなる照明デバイスも提供する。
【０００８】
即ち、本願の第１発明は、少なくとも１つの発光ダイオード（ＬＥＤ）から構成されるＬＥＤ光源であり、複数の発光状態を有するＬＥＤ光源と、ＬＥＤ光源の発光状態を切り替えるための切替スイッチであり、発光状態に対応する複数の切り替えモードを有する切替スイッチと、切替スイッチに電気的に接続された、切替スイッチの切替モードを検出するための検出回路と、検出回路に電気的に接続された記憶ユニットであり、検出回路によって検出された切替スイッチの切替モードに対応するＬＥＤ光源のＬＥＤの輝度値を記憶し、そのＬＥＤの輝度値を輝度制御信号に変換し、その輝度制御信号を検出回路に送信するための記憶ユニットと、ＬＥＤ光源に電気的に接続された電力変換回路であり、検出回路から送信された輝度制御信号を受信し、ＬＥＤが切替モードに対応する発光状態の輝度を生成するようにするための電力変換回路と、を備える、照明デバイスを提供する。
本願の第２発明は、ＬＥＤ光源の少なくとも１つのＬＥＤの輝度は、切替スイッチの異なる切替モード下で異なる、第１発明の照明デバイスを提供する。
本願の第３発明は、切替スイッチの切り替えを通して照明デバイスに電力を提供するための外部電源を備える、第１発明の照明デバイスを提供する。
本願の第４発明は、ＬＥＤ光源に電気的に接続された、ＬＥＤ光源に電力を提供するための直流（ＤＣ）電源を備える、第１発明の照明デバイスを提供する。
本願の第５発明は、検出回路が、ＬＥＤ光源の発光状態を受信するための前方入力端を有し、且つ切替スイッチに電気的に接続された、切替スイッチの切替モードを受信するための後方入力端を有する増幅器と、増幅器及び記憶ユニットに電気的に接続された、増幅器及び記憶ユニットから送信されたアナログ制御信号をデジタル制御信号に変換するためにアナログ／デジタル変換回路と、を備える、第１発明の照明デバイスを提供する。
本願の第６発明は、切替スイッチが外部トリガー信号を通してＬＥＤ光源の切替モードを行う、第２発明の照明デバイスを提供する。
本願の第７発明は、外部トリガー信号は連続する押圧信号であり、ＬＥＤ光源のＬＥＤの輝度値は切替スイッチが押圧される時間に正比例又は反比例する、第６発明の照明デバイスを提供する。
本願の第８発明は、外部トリガー信号は多段階切替信号であり、ＬＥＤ光源のＬＥＤの輝度値は切替スイッチが切り替えられる回数に従って多段階で増加又は多段階で減少する、第６発明の照明デバイスを提供する。
本願の第９発明は、外部トリガー信号は多段階押圧信号であり、切替モード間に所定の時間間隔が存在し、ＬＥＤ光源のＬＥＤの輝度値は切替スイッチが切り替えられる時に従って多段階で増加又は多段階で減少する、第６発明の照明デバイスを提供する。
本願の第１０発明は、外部トリガー信号を受信するための信号入力端を備える、第６発明の照明デバイスを提供する。
本願の第１１発明は、切替スイッチはプログラマブル回路である、第１発明の照明デバイスを提供する。
本願の第１２発明は、電力変換回路は交流（ＡＣ）／直流（ＤＣ）変換器である、第１発明の照明デバイスを提供する。
本願の第１３発明は、電力変換回路はＤＣ／ＤＣ変換器である、第１発明の照明デバイスを提供する。
本願の第１４発明は、電力変換回路から出力される輝度制御信号はパルス幅変調（ＰＷＭ）信号である、第１発明の照明デバイスを提供する。
本願の第１５発明は、電力変換回路から出力される輝度制御信号は電圧信号である、第１発明の照明デバイスを提供する。
本願の第１６発明は、電力変換回路から出力される輝度制御信号は電流信号である、第１発明の照明デバイスを提供する。
本願の第１７発明は、少なくとも１つのＬＥＤを含む発光ダイオード（ＬＥＤ）光源によって生成される複数の発光状態の輝度を切り替えるための輝度切替デバイスであって、当該輝度切替デバイスは、輝度切替デバイスに電気的に接続された、ＬＥＤの発光状態を切り替えるための切替スイッチであり、複数の発光状態に対応する複数の切替モードを有する切替スイッチと、切替スイッチに電気的に接続された、切替スイッチの切替モードを検出するための検出回路と、検出回路に電気的に接続された記憶ユニットであり、検出回路によって検出された切替スイッチの切替モードに対応するＬＥＤの輝度値を記憶し、そのＬＥＤの輝度値を輝度制御信号に変換し、その輝度制御信号を検出回路に送信するための記憶ユニットと、
ＬＥＤ光源に電気的に接続された電力変換回路であり、検出回路から送信された輝度制御信号を受信し、ＬＥＤが切替モードに対応する発光状態の輝度を生成するようにするための電力変換回路と、を備える、輝度切替デバイスを提供する。
本願の第１８発明は、ＬＥＤ光源の少なくとも１つのＬＥＤの輝度は、切替スイッチの異なる切替モードにおいて異なる、第１７発明の輝度切替デバイスを提供する。
本願の第１９発明は、切替スイッチの切り替えを通して輝度切替デバイスに電力を提供するための外部電源からなる、第１７発明の輝度切替デバイスを提供する。
本願の第２０発明は、ＬＥＤ光源に電気的に接続された、ＬＥＤ光源に電力を提供するための直流（ＤＣ）電源からなる、第１７発明の輝度切替デバイスを提供する。
本願の第２１発明は、検出回路が、ＬＥＤ光源の発光状態を受信するための前方入力端、及び切替スイッチに電気的に接続された、切替スイッチの切替モードを受信するための後方入力端を有する増幅器と、増幅器及び記憶ユニットに電気的に接続された、増幅器及び記憶ユニットから送信されたアナログ制御信号をデジタル制御信号に変換するためのアナログ／デジタル変換回路とからなる、第１７発明の輝度切替デバイスを提供する。
本願の第２２発明は、切替スイッチが外部トリガー信号を通してＬＥＤ光源の切替モードを行う、第１８発明の輝度切替デバイスを提供する。
本願の第２３発明は、外部トリガー信号は継続的押圧信号であり、ＬＥＤ光源のＬＥＤの輝度値は切替スイッチが押圧される時間に正比例又は反比例する、第２２発明の輝度切替デバイスを提供する。
本願の第２４発明は、外部トリガー信号は多段階切替信号であり、ＬＥＤ光源のＬＥＤの輝度値は切替スイッチが切り替えられる回数に従って多段階で増加又は多段階で減少する、第２２発明の輝度切替デバイスを提供する。
本願の第２５発明は、外部トリガー信号は多段階押圧信号であり、切替モード間に所定の時間間隔が存在し、ＬＥＤ光源のＬＥＤの輝度値は切替スイッチが切り替えられる時に従って多段階で増加又は多段階で減少する、第２２発明に記載の輝度切替デバイスを提供する。
本願の第２６発明は、外部トリガー信号を受信するための信号入力端を備える、第２２発明の輝度切替デバイスを提供する。
本願の第２７発明は、切替スイッチはプログラマブル回路である、第１７発明の輝度切替デバイスを提供する。
本願の第２８発明は、電力変換回路は交流（ＡＣ）／直流（ＤＣ）変換器である、第１７発明の輝度切替デバイスを提供する。
本願の第２９発明は、電力変換回路はＤＣ／ＤＣ変換器である、第１７発明の輝度切替デバイスを提供する。
本願の第３０発明は、電力変換回路から出力される輝度制御信号はパルス幅変調（ＰＷＭ）信号である、第１７発明の輝度切替デバイスを提供する。
本願の第３１発明は、電力変換回路から出力される輝度制御信号は電圧信号である、第１７発明の輝度切替デバイスを提供する。
本願の第３２発明は、電力変換回路から出力される輝度制御信号は電流信号である、第１７発明の輝度切替デバイスを提供する。
【０００９】
本発明の照明デバイス及び輝度切替デバイスは共に、各設定状態においてＬＥＤの各々によって発せられた光の輝度値を記憶するための内蔵型記憶ユニットを含む。従って、切替スイッチが切り替えられる度に、ＬＥＤは発せられた光の輝度値を示し、隣接するＬＥＤから発せられた光の影響によって引き起こされる不均一な光の問題はない。従って、ＬＥＤ光源の輝度の多段階切り替えが提供される。
【００１０】
本発明の利用可能性の更なる範囲は、以下に与えられる詳細な説明から明らかになる。しかしながら、本発明の精神及び範囲内での様々な変更及び変形はこの詳細な説明から当業者に明らかとなるので、詳細な説明及び具体例は、一方で本発明の好適な実施形態を示しながら、専ら例示としてのみ与えられていることは理解されるべきである。
【発明を実施するための最良の形態】
【００１１】
本発明は、以下に例示のために与えられ、従って本発明を限定するものではない詳細な説明からより完全に理解される。
【００１２】
図２Ａは、本発明に従う照明デバイス及び照明デバイスの輝度切替デバイスの機能のブロック図である。図２Ａを参照すると、本発明の照明デバイスはＬＥＤ光源１１０及び輝度切替デバイス１００を含む。ＬＥＤ光源は少なくとも１つの発光ダイオード（ＬＥＤ）１２０から構成され、輝度切替デバイス１００は、ＬＥＤ光源１１０のＬＥＤ１２０の各々によって生成された複数の発光状態の輝度を切り替えるために使用される。輝度切替デバイス１００は、切替スイッチ１３０、検出回路６０、記憶ユニット７０、及び電力変換回路９０を有する。更に、ＬＥＤ光源１１０のＬＥＤ１２０は、いくつかの特別なパターンを形成するように、直列、並列、又は直列及び並列に接続できる。
【００１３】
切替スイッチ１３０は、ＬＥＤ光源１１０のＬＥＤ１２０によって生成された複数の発光状態を切り替えるように、輝度切替デバイス１００の検出回路６０に電気的に接続される。更に、切替スイッチ１３０は発光状態に対応する複数の切替モードを有する。
【００１４】
検出回路６０は、切替スイッチ１３０の対応する切替モードを検出するために、切替スイッチ１３０に電気的に接続される。記憶ユニット７０は、検出回路６０によって検出される切替スイッチ１３０のある切替モードに対応するＬＥＤ１２０の各々によって発せられる光の輝度値を記憶して、ＬＥＤ１２０の各々の輝度を輝度制御信号に変換するために、検出回路６０に電気的に接続される。
【００１５】
この実施形態では、電力変換回路９０は、交流（ＡＣ）／直流（ＤＣ）変換器であり、輝度制御信号を検出回路６０からＬＥＤ光源１１０へ送信するために、検出回路６０とＬＥＤ光源１１０の間に電気的に接続され、外部電源１５０によって光源の輝度切替デバイス１００に入力されたＡＣ電力を、輝度切替デバイス１００及びＬＥＤ光源１１０によって受信されて使用されることができるＤＣ電力に変換する。更に、本発明の電力変換回路９０はＤＣ／ＤＣ変換器であってもよい。この時、外部電源１５０は、輝度切替デバイス１００及びＬＥＤ光源１１０に電力を提供するため、ＤＣ電源である。
【００１６】
図２Ｂは、図２Ａの検出回路６０の簡易回路図である。図２Ｂを参照すると、本発明の検出回路６０は、増幅器６２及びアナログ／デジタル変換回路６４を含む。増幅器６２の前方入力端は電流信号、例えばＬＥＤ光源１１０におけるＬＥＤ１２０の各々の輝度信号を受信するために使用され、増幅器６２の後方入力端は切替スイッチ１３０に電気的に接続される。アナログ／デジタル変換回路６４は、増幅器６２及び記憶ユニット７０から送信されるアナログ制御信号をデジタル制御信号に変換して、デジタル制御信号を電力変換回路９０に送信するために、増幅器６２と記憶ユニット７０間に電気的に接続される。そして、電力変換回路９０はデジタル制御信号を輝度制御信号に変換し、輝度制御信号はＬＥＤ光源１１０においてＬＥＤ１２０の各々によって発せられた光の輝度を制御するために使用される。
【００１７】
本発明に従う輝度切替デバイス１００は、ＬＥＤ光源１１０においてＬＥＤ１２０の各々によって発せられた光の輝度値を正確に調整でき、その動作原則は以下に記述される通りである。図２Ａおよび図２Ｂを再度参照すると、切替スイッチ１３０がオフされると、輝度切替デバイス１００はＬＥＤ光源１１０においてＬＥＤ１２０の各々によって発せられた光の輝度を検出し、輝度信号１１２が輝度切替デバイス１００の信号入力端１０２を介して検出回路６０の前方入力端に入力される。輝度信号１１２は電流信号であってもよく、ＬＥＤ光源１１０のＬＥＤ１２０の各々から発せられた光の輝度値を伝達する。検出回路６０の増幅器６２によって増幅された後、輝度信号１１２はアナログ／デジタル変換回路６４によってデジタル信号に変換され、記憶ユニット７０に送信される。この時、記憶ユニット７０はＬＥＤ１２０の各々によって発せられた光の輝度状態を記憶する。切替スイッチ１３０がオンされると、ＬＥＤ光源１１０における複数のＬＥＤ１２０は元々設定された状態に従って同一又は異なる輝度状態を取り（ＬＥＤ１２０の全てがオン状態とすると、ＬＥＤ１２０によって発せられた光の輝度は同一である）、記憶ユニット７０はＬＥＤ１２０の各々によって発せられた光の輝度値を記憶する。記憶ユニット７０に記憶されたＬＥＤ１２０の各々の輝度状態は変換インターフェイス（図示せず）によってアナログ信号に変換され、アナログ信号はアナログ／デジタル変換回路６４に送信される。そして、元々設定された状態に達するよう要求される各ＬＥＤ１２０によって発せられた光の輝度値の制御信号は、その制御信号をＬＥＤ光源１１０が受信できる輝度制御信号１１４に変換するように、電力変換回路９０に送信され、各ＬＥＤ１２０が輝度値を取るようにする。輝度制御信号１１４は、パルス幅変調（ＰＷＭ）信号、電圧制御信号、又は電流制御信号であってもよい。
【００１８】
切替スイッチ１３０がオフされてその後オンされると、輝度切替デバイス１００は元々設定された状態に従って各ＬＥＤ１２０によって発せられた光の輝度値を制御する。例えば、この時、少なくとも１つのＬＥＤ１２０によって発せられた光の輝度が減少し、ＬＥＤ光源１１０全体によって示された画像はＬＥＤ１２０輝度変化のために異なる視覚効果を示すようにする。本発明の記憶ユニット７０は切替スイッチ１３０がオンされる度に元の設定に従ってＬＥＤ１２０が示す異なる輝度値を記憶することができるので、ＬＥＤ光源１１０におけるＬＥＤ１２０の各々が示す輝度値を制御でき、隣接するＬＥＤ１２０の影響によって引き起こされる不均一な光の問題は発生しない。
【００１９】
図３は、本発明のＬＥＤ光源１１０の他の実施の様態の概略図である。図３を参照すると、この実施形態では、ＤＣ電源１４０はＬＥＤ光源１１０に外部的に接続され、ＬＥＤ１２０の電源として直接的に使用される。この実施形態のその他の部分は上記の実施形態のものと同一であり、ここで再び記述しない。
【００２０】
本発明の切替スイッチ１３０は共通スイッチであってもよく、手動の切替動作を介して輝度切替デバイス１００に外部トリガー信号を提供する。外部トリガー信号は連続する押圧信号であってもよい。ユーザは手で切替スイッチ１３０を連続的に押圧することができ、ユーザが切替スイッチを押圧して保持する時間の増加と共に、連続切替モードにおけるＬＥＤ光源１１０のＬＥＤ１２０の輝度は適宜に増加又は減少する。また、外部トリガー信号は多段階押圧信号であってもよい。ユーザは、予め設定した時間の間隔に従って切替スイッチ１３０を複数の切替モードに設定できる。ユーザが切替スイッチ１３０を手で連続的に押圧すると、ユーザが切替スイッチを押圧して保持する時間の増加と共に、この連続的切替モードにおけるＬＥＤ光源１１０のＬＥＤ１２０の輝度は多段階で増加又は多段階で減少する。更に、外部トリガー信号は多段階切替信号であってもよい。ユーザは複数の切替モードに対する切替スイッチ１３０の切替時間を規定できる。ユーザが手で切替スイッチ１３０を切り替えると、この切替モードにおけるＬＥＤ光源１１０のＬＥＤ１２０の輝度は同様に多段階で増加又は多段階で減少する。更に、切替スイッチ１３０は、ＬＥＤ光源のＬＥＤ１２０の多段階切替を実現するように、コンピュータと共に使用されるプログラマブル回路であってもよい。
【００２１】
本発明の輝度切替デバイス１００は一般のＬＥＤ表示デバイスだけでなく、ＬＥＤ光源が異なる色（Ｒ、Ｇ、及びＢ）の光を発するＬＥＤで構成される限り、多段階照明ランプ、可変色を有する装飾ランプ、可変色を有する照明ランプ等にも適用可能であることは注目すべきである。
【００２２】
従来技術と比較すると、本発明に従う照明デバイス及び照明デバイスの輝度切替デバイス１００は内蔵型記憶ユニットを含み、切替スイッチ１３０の予め設定された切替モードの各々においてＬＥＤの各々によって発せられた光の輝度値を記憶する。従って、切替スイッチが切り替えられる度に、ＬＥＤは要求された光の輝度値を示すことができ、隣接するＬＥＤ１２０によって発せられる光の影響によって引き起こされる不均一な光の問題が防止される。
【００２３】
本発明は上述したように、本発明は様々に変更してもよいことは明らかである。そのような変更は本発明の精神及び範囲からの逸脱と見なされるべきでなく、当業者に明確であるような全てのそのような変形は以下の特許請求の範囲内に含まれることが意図されている。
【図面の簡単な説明】
【００２４】
【図１】従来の表示システムの概略図である。
【図２Ａ】本発明に従う照明デバイス及び照明デバイスの輝度切替デバイスの機能のブロック図である。
【図２Ｂ】図２Ａの検出回路の簡易回路図である。
【図３】本発明のＬＥＤ光源の他の実施の様態の概略図である。
【図１】
2008123982.tif 000003
【図２Ａ】
2008123982.tif 000004
【図２Ｂ】
2008123982.tif 000005
【図３】
2008123982.tif 000006